(57)【要約】【課題】  通常の使用中に扉の上側の回転軸が上枠から外れることがなく、且つ非常時には回転軸を下方に移動させて上枠との係合を解除して扉を外すことのできるドアの提供。  【解決手段】  扉１と、扉の吊元框２上部に設けたピボットヒンジ３とを備え、ピボットヒンジは、上下方向に移動可能に設けた回転軸４と、回転軸を上方に付勢する付勢部材５と、回転軸に固定した操作部本体部材３３と、吊元框と係合して操作部本体部材の下方移動を規制するストッパー部材３４と、ストッパー部材の吊元框との係合を解除する係合解除操作部９と、操作部本体部材を下方に移動する押し下げ操作部９とを有している。【選択図】      図１
2007224497.tif 000002
【特許請求の範囲】
【請求項１】
扉と、扉の吊元框上部に設けたピボットヒンジとを備え、ピボットヒンジは、上下方向に移動可能に設けた回転軸と、回転軸を上方に付勢する付勢部材と、回転軸に固定した操作部本体部材と、吊元框と係合して操作部本体部材の下方移動を規制するストッパー部材と、ストッパー部材の吊元框との係合を解除する係合解除操作部と、操作部本体部材を下方に移動する押し下げ操作部とを有していることを特徴とするドア。
【請求項２】
係合解除操作部は、押し下げ操作部を兼ねており、押し下げ操作部の押し下げ操作でストッパー部材の吊元框との係合を解除するとともに回転軸を下方に移動することを特徴とする請求項１記載のドア。
【発明の詳細な説明】
【技術分野】
【０００１】
本発明は、上側のピボットヒンジの回転軸を下方に移動させて上枠から外し、扉を枠から外せるようにしたドアに関する。
【背景技術】
【０００２】
特許文献１には、扉の吊元框上部に上枠と係合する回転軸（上のピン５１）を上下方向に移動可能に設けると共に、回転軸を弾性部材（スプリング８２）で上向きに付勢し、非常時には吊元框の見付面に形成した開口から挿入した杆体６４を用いて回転軸を下方に移動させることで、回転軸を上枠から外し、扉を枠から外せるようにしたものが記載されている。
回転軸には扉の重量により強い力が加わるため、上記のようなドアでは、長年使用するうちに回転軸の案内部にガタが生じたり、回転軸が摩耗したりすること等により、回転軸が徐々に下方に移動し、ついには回転軸が上枠から外れて扉が外れてしまうことがある。このような現象は、扉の重量を重くすると起こりやすくなる。
【特許文献１】特許第３３５５４５１号公報
【発明の開示】
【発明が解決しようとする課題】
【０００３】
本発明は以上に述べた実情に鑑み、通常の使用中に扉の上側の回転軸が上枠から外れることがなく、且つ非常時には回転軸を下方に移動させて上枠との係合を解除して扉を外すことのできるドアの提供を目的とする。
【課題を解決するための手段】
【０００４】
上記の課題を達成するために請求項１記載の発明によるドアは、扉と、扉の吊元框上部に設けたピボットヒンジとを備え、ピボットヒンジは、上下方向に移動可能に設けた回転軸と、回転軸を上方に付勢する付勢部材と、回転軸に固定した操作部本体部材と、吊元框と係合して操作部本体部材の下方移動を規制するストッパー部材と、ストッパー部材の吊元框との係合を解除する係合解除操作部と、操作部本体部材を下方に移動する押し下げ操作部とを有していることを特徴とする。
【０００５】
請求項２記載の発明によるドアは、請求項１記載の発明の構成に加え、係合解除操作部は、押し下げ操作部を兼ねており、押し下げ操作部の押し下げ操作でストッパー部材の吊元框との係合を解除するとともに回転軸を下方に移動することを特徴とする。
【発明の効果】
【０００６】
請求項１記載の発明によるドアは、ピボットヒンジの回転軸に操作部本体部材が固定してあり、吊元框と係合して操作部本体部材の下方移動を規制するストッパー部材を有しているので、通常の使用中にはストッパー部材によって回転軸の下方移動が規制されるため、回転軸が上枠から外れることがなく、非常時には係合解除操作部によりストッパー部材の吊元框との係合を解除すると共に、押し下げ操作部を押し下げることで操作部本体部材が下方に移動し、これに伴って回転軸が下方に移動するため、回転軸の上枠との係合を解除して扉を枠から外すことができる。
【０００７】
請求項２記載の発明によるドアは、係合解除操作部は、押し下げ操作部を兼ねており、押し下げ操作部の押し下げ操作でストッパー部材の吊元框との係合を解除するとともに回転軸を下方に移動するので、ストッパー部材の係合の解除と回転軸の押し下げをワンアクションで行うことができ、非常時に回転軸の上枠との係合を解除する際の操作部の操作性が向上する。
【発明を実施するための最良の形態】
【０００８】
以下、本発明の実施の形態を図面に基づいて説明する。図２は、本発明の一実施形態に係る浴室ドアの脱衣室側から見た正面図である。このドアは、浴室への入口に設けられた躯体開口部に、上枠１２と下枠１３と左右の竪枠１４，１４を枠組みしてなる枠が固定して設けてあり、その枠内に扉１が上下のピボットヒンジ３，１５を介して浴室側に開くように取付けてある。扉１は、戸先框１６と吊元框２の上端部に上框１７を、下端部に下框１８をそれぞれ架設して枠組みを形成し、その枠組みに合成樹脂製のパネル体１９を取付けたものとなっている。戸先框１６には、竪枠１４と係合するラッチと錠とを備える錠ボックス（図示省略）と、ハンドル２０が取付けてあり、浴室側から施錠できるようにしてある。
上側のピボットヒンジ３は、吊元框２上部に取付けてあり、ピボットヒンジの回転軸４が吊元框２上端より突出して上枠１２の下面に取付けた軸受けに係合している。下側のピボットヒンジ１５は、下枠１３の上面に取付けてあり、ピボットヒンジの回転軸２２が吊元框２下端部に設けた軸受けに係合している。
このドアは、上側のピボットヒンジ３の周辺部分の構造に特徴を有するものであり、以下この部分の構造を詳細に説明する。
【０００９】
図３は、上側のピボットヒンジ３の周辺部分を拡大して示す正面図であり、図４は図３のＡ−Ａ断面図であり、図５はこの部分の分解斜視図である。
吊元框２は、図５に示すように、アルミニウム合金の押出形材で中空状に形成され、脱衣室側の壁には、後述する操作部６の連結用の爪２３を挿通するための上下方向に長い長方形の開口２４が形成してある。
【００１０】
ピボットヒンジ３は、図５に示すように、吊元框２の中空部内に上方より嵌め込んで取付けるハウジング２５と、ハウジング２５内に収容するヒンジ本体２６と、ヒンジ本体２６を上方に付勢するコイルスプリング５と、ヒンジ本体２６に連結して吊元框２の脱衣室側に突出して設けられる操作部６とを備えている。
ハウジング２５は、合成樹脂により一体形成され、ヒンジ本体２６の収容部２７が上方に開放した筒状に設けてある。ハウジング２５の脱衣室側の壁には、吊元框２と同様に操作部６の連結用の爪２３を挿通する上下方向に長い長方形の開口４１が形成してある。
ヒンジ本体２６は、合成樹脂よりなるスライドブロック２８に、金属製の回転軸４がネジ止めにより上方に突出して取付けてあり、スライドブロック２８の下面からは垂直軸２９が突出している。スライドブロック２８の脱衣室側面には、操作部６の連結用の爪２３が挿入係止される操作部取付孔３０が形成してある。
ヒンジ本体２６は、図４に示すように、コイルスプリング５を垂直軸２９に挿通した上でハウジング２５の収容部２７内に上から挿入し、垂直軸２９の下端部に設けた係止部３１を収容部２７の底壁に形成した孔３２に係止することにより抜け止めされる。ヒンジ本体２６は、スライドブロック２８が収容部２７の周壁にガイドされて上下方向に移動可能となっており、且つコイルスプリング５により常時上向きに付勢され、回転軸４が上枠１２下面に設けた軸受け２１に係合している。
【００１１】
操作部６は、図５に示すように、合成樹脂よりなる操作部本体部材３３、ストッパー部材３４、押し下げ操作部９と、コイルスプリング３５とで構成されている。操作部本体部材３３は、浴室側の面にヒンジ本体２６と連結するための爪２３が突出して形成してあり、両側面に押し下げ操作部９の係止部３６が形成してある。さらに操作部本体部材３３は、上下方向中間部にストッパー部材３４の収容部５４が設けてあり、浴室側面に収容部５４と連通する窓３７が設けてある。
ストッパー部材３４は、四角いブロック状に形成され、浴室側面に突起状の係合部７が設けてあり、両側面に斜め上向きのガイド溝３８が形成してある。
押し下げ操作部９は、ストッパー部材３４の吊元框２との係合を解除するための係合解除操作部を兼ねており、浴室側の面と下面とが開放しており、両側の側壁には操作部本体部材３３の係止部３６が係止する縦長の溝孔３９が形成してあり、側壁の内側面にはストッパー部材３４のガイド溝３８と係合する突条４０が斜めに形成してある。
操作部６は、図４に示すように、操作部本体部材３３の収容部５４にストッパー部材３４を収容し、操作部本体部材３３の係止部３６に溝孔３９を係止して押し下げ操作部９を取付け、操作部本体部材３３の上面と押し下げ操作部９の上壁の間にコイルスプリング３５を装着することによって組み立てられる。押し下げ操作部９の溝孔３９の長さは、操作部本体部材３３の係止部３６の上下方向寸法より長くしてあるので、押し下げ操作部９は操作部本体部材３３に対して上下方向にスライドする。
【００１２】
操作部６は、図４に示すように、操作部本体部材３３の爪２３を吊元框２とハウジング２５の開口２４，４１を通してヒンジ本体２６の操作部取付孔３０に差し込んで係止させることにより、操作部本体部材３３を回転軸４に固定して吊元框２の脱衣室側面に取付けられる。操作部６の押し下げ操作部９は、コイルスプリング３５の付勢力により通常は上方位置に保持されており、ストッパー部材３４は斜めのガイド溝３８が押し下げ操作部９の突条４０と係合することにより浴室側に押し付けられ、係合部７が操作部本体部材３３の窓３７から浴室側に突出し、吊元框２の開口２４内に差し込まれている。そのため、扉の重量や長年の使用による経年劣化等により回転軸４が徐々に下方に移動したとしても、図１（ａ）に示すように、係合部７が吊元框２の開口２４の下縁に係止して、操作部本体部材３３と、操作部本体部材３３と固定した回転軸４の下方移動が規制されるため、回転軸４が軸受け２１から外れることがない。
扉１を施錠して入浴中に、入浴している人が浴室内で倒れたような非常時には、図１（ｂ）に示すように、押し下げ操作部９を指で押し下げることで、まず押し下げ操作部９が操作部本体部材３３に対して下方にスライドし、このとき押し下げ操作部９の突条４０がストッパー部材３４のガイド溝３８の奥まで押し込まれるためにストッパー部材３４が脱衣室側に引き寄せられ、係合部７が吊元框２の開口２４から抜け、さらに押し下げ操作部９を押し下げることで、操作部本体部材３３と回転軸４が下方に移動し、回転軸４が軸受け２１から抜けるため、扉１が枠から外れて倒れた人を助け出すことができる。
【００１３】
このように本操作部６によれば、ストッパー部材３４の係合部７が吊元框２の開口２４と係合することで回転軸４の下方移動を規制し、通常の使用中に回転軸４が上枠１２の軸受け２１から外れることがないと共に、非常時には押し下げ操作部９を指で押し下げるだけの簡単な操作で回転軸４が下方に移動して軸受け２１から外れ、係合部７の係合を解除するための特別な操作が不要なため、誰にでも簡単に迅速に操作できる。また、係合部７を、操作部６の連結用の爪２３の真下位置に設けることで、吊元框２には一つの開口２４を加工するだけで済むし、操作部６の横幅をコンパクトにすることができる。
【００１４】
図６と図７は、操作部６の第二実施形態を示している。この操作部６は、操作部本体部材３３と、ストッパー部材３４と、押し下げ操作部４２と、コイルスプリング３５とを有している。ストッパー部材３４は、見込み方向に配置される円形断面の軸状の係合部８の脱衣室側端部に、板状の係合解除操作部１０を一体に形成したものとなっている。押し下げ操作部４２は、両側面に設けた溝孔３９に操作部本体部材３３の係止部３６を係止することにより、操作部本体部材３３に固定して取付けられる。係合部８の根元部の周囲には、一対の三角形の山形の凸部４３が形成されており、押し下げ操作部４２の係合部８を挿通する挿通孔４４の周囲には、係合解除操作部１０が縦向きの状態のときにその凸部４３と嵌合する凹部４５が形成してある。ストッパー部材３４は、図７に示すように、係合部８を押し下げ操作部４２の挿通孔４４に挿通し、係合部８にコイルスプリング３５を挿通し、係合部８の中間部に形成した溝４６にＥリング４７を取付けることにより、浴室側向きに付勢して押し下げ操作部４２に取付けている。
【００１５】
通常の状態では、図７（ａ）に示すように、ストッパー部材３４は係合解除操作部１０を縦向きの状態にしてあり、係合部８の先端部が操作部本体部材３３より浴室側に突出して吊元框２の開口２４内に差し込まれている。そのため、回転軸４が下方に移動しようとしても、係合部８の先端部が吊元框２の開口２４の下縁に係止して下方移動が規制されるため、回転軸４が軸受け２１から外れることがない。
非常時に扉１を枠から外す際には、図７（ｂ）に示すように、ストッパー部材３４を係合解除操作部１０に指をかけて９０°回転させることで、係合部８の凸部４３が押し下げ操作部４２の凹部４５から飛び出して押し下げ操作部４２の脱衣室側に乗り上げるために係合部８が脱衣室側に引き寄せられ、係合部８の先端部が吊元框２の開口２４から抜けるので、その後に押し下げ操作部４２を押し下げれば、回転軸４が下方に移動して軸受け２１から外れる。このように、本実施形態のものでは、押し下げ操作部４２を押し下げる前に、係合解除操作部１０を９０°回転させる操作が必要なため、先の実施形態のものより操作性が若干劣るが、通常の使用中に操作部６が誤って押し下げられることを防止できる利点がある。
【００１６】
図８〜図１１は、操作部６の第３実施形態を示している。この操作部６は、図８に示すように、操作部本体部材３３と、ストッパー部材３４と、係合解除操作部１１とを有している。操作部本体部材３３は、押し下げ操作部５５が一体に形成され、脱衣室側の面に係合解除操作部１１の取付部５６が溝状に形成してある。係合解除操作部１１は、上下面に設けた爪片４８を操作部本体部材３３に設けた切り欠き４９に係止することで、操作部本体部材の取付部５６に左右方向にスライド可能に取付けられている。ストッパー部材３４は、浴室側面に突起状の係合部７を有し、上下面に設けた突起５０を係合解除操作部１１の上下面に設けたカム溝５１に係合すると共に、左右側面に設けた溝５２に操作部本体部材３３のガイド突条５３を係合することにより、見込み方向にスライド可能に取付けられている。係合解除操作部１１のカム溝５１は、中間部が浴室側に突出する形状となっている。
【００１７】
通常の使用時には、図９に示すように、係合解除操作部１１の側面が操作部本体部材３３の側面と面一となっており、このときストッパー部材３４は、図１１（ａ）に示すように、突起５０がカム溝５０の中間部にあるために浴室側位置に保持され、係合部７が浴室側に突出して吊元框２の開口２４内に差し込まれている。そのため、図１０に示すように、係合部７によって回転軸４の下方移動が規制され、回転軸４が軸受け２１から外れることがない。非常時に回転軸４を軸受け２１から外す際には、図１１（ｂ）に示すように、係合解除操作部１１を横にスライドさせ、するとカム溝５１の端部に突起５０が移動するためにストッパー部材３４が脱衣室側に移動し、係合部７が吊元框２の開口２４から抜けるため、その後に押し下げ操作部５５に指をかけて下方に押し下げることで回転軸４が下方に移動し、軸受け２１から抜くことができる。
【００１８】
本発明は、以上に述べた実施形態に限定されない。操作部は、吊元框の浴室側に突出して設けたり、脱衣室側と浴室側の両方に設けることもできる。実施形態のものでは、図４に示すように、通常の使用状態でストッパー部材の係合部７と吊元框の開口２４の下縁との間に隙間があり、回転軸４が上枠から外れない程度に下方に移動できるようになっているが、その隙間を無くして、係合部７が突出した状態では回転軸の下方移動が常に規制されるようにすることもできる。本発明のドアは、浴室ドア以外のドアにも適用できる。
【図面の簡単な説明】
【００１９】
【図１】図３のＡ−Ａ線における縦断面図であって、（ａ）は操作部のストッパー部材が吊元框と係合して回転軸の下方移動が規制された状態、（ｂ）は押し下げ操作部を押し下げ操作してストッパー部材の係合を解除すると共に回転軸を下方に移動させ、回転軸の上枠との係合を解除したときの状態を示している。
【図２】本発明の浴室ドアの脱衣室側から見た正面図である。
【図３】浴室ドアの上側のピボットヒンジ周辺部分を拡大して示す正面図である。
【図４】図３のＡ−Ａ断面図である。
【図５】上側のピボットヒンジ周辺部分の分解斜視図である。
【図６】操作部の第二実施形態を示す分解斜視図である。
【図７】第二実施形態の操作部の縦断面図であって、（ａ）は操作部のストッパー部材により回転軸の下方移動が規制された状態、（ｂ）は係合解除操作部を回転操作してストッパー部材の係合を解除すると共に、押し下げ操作部を押し下げ操作して回転軸の上枠との係合を解除したときの状態を示している。
【図８】操作部の第三実施形態を示す分解斜視図である。
【図９】第三実施形態の操作部の正面図である。
【図１０】図９のＡ−Ａ断面図である。
【図１１】（ａ）は図９のＢ−Ｂ断面図であり、（ｂ）は同じ箇所の断面図であって、係合解除操作部を横にスライド操作してストッパー部材の吊元框との係合を解除したときの状態を示している。
【符号の説明】
【００２０】
１  扉
２  吊元框
３  ピボットヒンジ
４  回転軸
５  コイルスプリング（付勢部材）
６  操作部
７，８  係合部
９  押し下げ操作部（係合解除操作部）
１０，１１  係合解除操作部
３３  操作部本体部材
３４  ストッパー部材
４２，５５  押し下げ操作部
【図１】
2007224497.tif 000003
【図２】
2007224497.tif 000004
【図３】
2007224497.tif 000005
【図４】
2007224497.tif 000006
【図５】
2007224497.tif 000007
【図６】
2007224497.tif 000008
【図７】
2007224497.tif 000009
【図８】
2007224497.tif 000010
【図９】
2007224497.tif 000011
【図１０】
2007224497.tif 000012
【図１１】
2007224497.tif 000013